(57)【要約】【課題】燃料タンク防液堤内に残留している液体燃料の気化したガスが燃料タンク防液堤内に滞留し易い構造とすることで、燃料タンク防液堤外側のガス拡散濃度を大幅に削減したガス拡散防止壁を備えた燃料タンク防液堤、および、ガス拡散防止壁を用いた燃料タンク防液堤におけるガス拡散防止方法を提供する。【解決手段】本発明は、燃料タンクＴを取り囲むように配置した燃料タンク防液堤１の上部に、ガス拡散防止壁２を設置している。このガス拡散防止壁２は、燃料タンク防液堤１の高さに対し少なくとも半分の高さを備えるように形成されている。また、ガス拡散防止壁２は、風下側に位置する燃料タンク防液堤１の上部に設置した部分が高くなるように形成されている。【選択図】図１
2005308106.tif 000002
【特許請求の範囲】
【請求項１】
燃料タンクを取り囲むように配置した燃料タンク防液堤の上部に、ガス拡散防止壁を設置したことを特徴とする、ガス拡散防止壁を備えた燃料タンク防液堤。
【請求項２】
ガス拡散防止壁は、燃料タンク防液堤の高さに対し少なくとも半分の高さを備えるように形成された、請求項１に記載のガス拡散防止壁を備えた燃料タンク防液堤。
【請求項３】
ガス拡散防止壁は、全て同じ高さに形成された、請求項１または２に記載のガス拡散防止壁を備えた燃料タンク防液堤。
【請求項４】
ガス拡散防止壁は、風下側に位置する燃料タンク防液堤の上部に設置された、請求項１または２に記載のガス拡散防止壁を備えた燃料タンク防液堤。
【請求項５】
ガス拡散防止壁は、風下側に位置する燃料タンク防液堤の上部に設置した部分が高くなるように形成された、請求項１または２に記載のガス拡散防止壁を備えた燃料タンク防液堤。
【請求項６】
燃料タンクを取り囲むように配置した燃料タンク防液堤の上部に、ガス拡散防止壁を設置することで、気化したガスの大量流出を阻止することを特徴とする、ガス拡散防止壁を用いた燃料タンク防液堤におけるガス拡散防止方法。
【請求項７】
燃料タンク防液堤の高さに対し、少なくとも半分の高さを備えるように形成されたガス拡散防止壁を用いた、請求項６に記載のガス拡散防止壁を用いた燃料タンク防液堤におけるガス拡散防止方法。
【請求項８】
全て同じ高さに形成されたガス拡散防止壁を用いた、請求項６に記載のガス拡散防止壁を用いた燃料タンク防液堤におけるガス拡散防止方法。
【請求項９】
風下側に位置する燃料タンク防液堤の上部に設置されたガス拡散防止壁を用いた、請求項６に記載のガス拡散防止壁を用いた燃料タンク防液堤におけるガス拡散防止方法。
【請求項１０】
風下側に位置する燃料タンク防液堤の上部に設置した部分が高くなるように形成されたガス拡散防止壁を用いた、請求項６に記載のガス拡散防止壁を用いた燃料タンク防液堤におけるガス拡散防止方法。
【発明の詳細な説明】
【技術分野】
【０００１】
本発明は、例えば、地震等を原因として燃料タンク或るいは配管に亀裂が生じ、燃料タンクに貯蔵している液体燃料が漏洩したときに、液体燃料の流出を阻止すると共に、気化したガスの大量流出も阻止するガス拡散防止壁を備えた燃料タンク防液堤、および、ガス拡散防止壁を用いた燃料タンク防液堤におけるガス拡散防止方法に関するものである。
【背景技術】
【０００２】
例えば、天然ガス等を輸送したり備蓄する場合には、天然ガス等を液化することが多い。この天然ガスを液化した液体燃料は、天然ガスに圧力を加えながら冷却して液化したもので、マイナス１６２℃の極低温で、無色透明・無臭の液体である。この様に、天然ガスを液化すると、その体積が６００分の１程度に収縮することから、天然ガスの輸送や備蓄に適したものになる。
【０００３】
近年においては、天然ガスを液化した液体燃料が、火力発電の燃料として用いられている。この液体燃料を用いた火力発電は、地球温暖化の原因となる二酸化炭素の排出量が少なく環境に優れており、しかも、石炭火力を開発したのと同等の経済性を達成できるのである。
【０００４】
この様な火力発電の燃料として用いられる液体燃料を貯蔵するときは、近隣に住居が少なく、平坦で面積の大きな敷地を確保し、この敷地に所定のタンクを設置して、このタンクの中に液体燃料を貯蔵するのが一般的である。
【０００５】
そして、液体燃料を貯蔵しているタンクは、地震等を原因としてタンク或るいは配管に亀裂が生じ、貯蔵している液体燃料が漏洩したときの対応策として、タンクの周囲に、燃料タンク防液堤を設けている。
【０００６】
具体的には、特許文献１に開示されているように、タンクを囲む堤部の全周の平面配置形状を略円状にし、全周の堤部が一体に形成されて連続している燃料タンク防液堤が存在する。
【０００７】
この様な燃料タンク防液堤は、発電用火力設備の技術基準に基づき、タンク内の液体燃料の全量が瞬時に流出した場合に、地表に液体として残留する量（貯蔵能力相当容量）の全てを収容できるように設計されている。
【０００８】
従って、燃料タンク防液堤の高さは、貯蔵能力相当容量と燃料タンク防液堤の床面面積とから決定される。そして、従来の燃料タンク防液堤においては、通常、燃料タンク防液堤の床面面積がかなり大きいため、法規上で要求される燃料タンク防液堤の高さが５ｍ程度になるのが一般的である。
【特許文献１】特開２００２−８００９１号公報
【発明の開示】
【発明が解決しようとする課題】
【０００９】
この様な、およそ５ｍ程度の高さを備えている燃料タンク防液堤は、液体燃料の貯蔵能力相当容量の流出を阻止できるものの、以下の欠点がある。
【００１０】
燃料タンク防液堤内に漏洩した液体燃料は、燃料タンク防液堤床面との熱伝導、太陽輻射、空気対流等により暖められて気化する。そのため、従来のような５ｍ程度の高さの燃料タンク防液堤では、気化した液体燃料の拡散を防止することは容易でない。
【００１１】
すなわち、燃料タンク防液堤内で気化した液体燃料は、燃料タンク防液堤の高さが低いため、燃料タンク防液堤を簡単に越えて、燃料タンク防液堤の外側へ極めて拡散し易い状況となっているのである。
【００１２】
また、液体燃料の漏洩量が少ない場合であっても、気化した液体燃料は燃料タンク防液堤内風下側へ流されていくため、特に、風下側に位置する燃料タンク防液堤から集中的にガスが拡散していき、燃料タンク防液堤外側のガス拡散濃度が上昇する原因となっている。
【００１３】
この様に、ガス拡散した場合、ガス濃度が爆発下限界を超える可能性があり、爆発の危険性が生じてくる。
【００１４】
そこで、本発明は如上のような従来存した諸事情に鑑み創出されたもので、燃料タンク防液堤内に残留している液体燃料の気化したガスが燃料タンク防液堤内に滞留し易い構造とすることで、燃料タンク防液堤外側のガス拡散濃度を大幅に削減したガス拡散防止壁を備えた燃料タンク防液堤、および、ガス拡散防止壁を用いた燃料タンク防液堤におけるガス拡散防止方法を提供することを目的とする。
【課題を解決するための手段】
【００１５】
本発明に係るガス拡散防止壁を備えた燃料タンク防液堤にあっては、燃料タンクを取り囲むように配置した燃料タンク防液堤の上部に、ガス拡散防止壁を設置したことで、上述した課題を解決した。
【００１６】
また、ガス拡散防止壁は、燃料タンク防液堤の高さに対し少なくとも半分の高さを備えるように形成されたことで、同じく上述した課題を解決した。
【００１７】
さらに、ガス拡散防止壁は、全て同じ高さに形成されたことで、同じく上述した課題を解決した。
【００１８】
また、ガス拡散防止壁は、風下側に位置する燃料タンク防液堤の上部に設置されたことで、同じく上述した課題を解決した。
【００１９】
加えて、ガス拡散防止壁は、風下側に位置する燃料タンク防液堤の上部に設置した部分が高くなるように形成されたことで、同じく上述した課題を解決した。
【００２０】
一方、本発明に係るガス拡散防止壁を用いた燃料タンク防液堤におけるガス拡散防止方法にあっては、燃料タンクを取り囲むように配置した燃料タンク防液堤の上部に、ガス拡散防止壁を設置することで、気化したガスの大量流出を阻止することで、同じく上述した課題を解決した。
【００２１】
また、燃料タンク防液堤の高さに対し、少なくとも半分の高さを備えるように形成されたガス拡散防止壁を用いたことで、同じく上述した課題を解決した。
【００２２】
さらに、全て同じ高さに形成されたガス拡散防止壁を用いたことで、同じく上述した課題を解決した。
【００２３】
また、風下側に位置する燃料タンク防液堤の上部に設置されたガス拡散防止壁を用いたことで、同じく上述した課題を解決した。
【００２４】
この他、風下側に位置する燃料タンク防液堤の上部に設置した部分が高くなるように形成されたガス拡散防止壁を用いたことで、同じく上述した課題を解決した。
【発明の効果】
【００２５】
本発明は、燃料タンク防液堤１の上部にガス拡散防止壁２を設置することにより、燃料タンク防液堤１内に残留している液体燃料の気化したガスが燃料タンク防液堤１内に滞留し易い構造とすることで、ガスが燃料タンク防液堤１外側へ大量に拡散する事態の発生を確実に阻止し、燃料タンク防液堤１の外側におけるガス拡散濃度を大幅に削減したものである。
【００２６】
特に、風下側に位置する燃料タンク防液堤１の上部にガス拡散防止壁２を設置することにより、燃料タンク防液堤１内において風下側に流れたガスが拡散する事態の発生を有効に阻止できるのである。
【００２７】
液体燃料の気化したガスが大量に拡散する事態の発生を阻止するには、燃料タンク防液堤１そのものが充分な高さを備えていることが一番良いものである。しかし、充分な高さを備えた燃料タンク防液堤１を建設するのは大工事となり、その建設費用も莫大なものとなるため、現実的に困難である。また、法規上も、燃料タンク防液堤１がその様な充分な高さを備えていることまでは要求されていないのが現状である。
【００２８】
そこで、本発明は、燃料タンク防液堤１の上部にガス拡散防止壁２を設置することにより、極めて少ない費用でガスの大量拡散を阻止したものである。また、本発明は、既存の燃料タンク防液堤１の上部に、ガス拡散防止壁２を後から設置して、ガスの大量拡散を阻止したものである。
【発明を実施するための最良の形態】
【００２９】
以下に、本発明を実施する最良の形態を、図面を参照して説明する。
【００３０】
本発明に係る燃料タンク防液堤１は、図１に示すように、燃料タンクＴから漏洩した液体燃料の流出を阻止するために、燃料タンクＴを取り囲むように配置した燃料タンク防液堤１の上部に、ガス拡散防止壁２を設置している。具体的には、燃料タンクＴを取り囲むように配置した燃料タンク防液堤１の上部に、ガス拡散防止壁２を設置することにより、燃料タンク防液堤１内に残留している液体燃料の表面から気化したガスの大量流出を阻止するものである。尚、燃料タンクＴに貯蔵する液体燃料は、例えば、ＬＮＧ、ＬＰＧ、石油、アルコール等のどの様な燃料であっても差し支えない。
【００３１】
燃料タンク防液堤１は、例えば、図１に示すように、その全周の平面配置形状を、方形状にしている。また、燃料タンク防液堤１は、例えば、コンクリート製で、全周が一体的に連続形成されている。この燃料タンク防液堤１は、例えば、動液圧対抗性を備えたプレストレスト構造を採用している。
【００３２】
燃料タンク防液堤１の上部には、ガス拡散防止壁２を設置している。このガス拡散防止壁２により、燃料タンク防液堤１内に残留している液体燃料の表面から気化したガスが燃料タンク防液堤１外へ大量に拡散する事態の発生を防いで、液体燃料の表面から気化したガスが燃料タンク防液堤１内に滞留し易い構造にしている。
【００３３】
図２に示すガス拡散防止壁２の具体例では、高さ５ｍの燃料タンク防液堤１の上部に、高さ２．５ｍのガス拡散防止壁２を設置している。
【００３４】
ガス拡散防止壁２は、燃料タンク防液堤１の全周に亘って設置しても良い。また、風下側に位置する燃料タンク防液堤１のみや、ガス拡散濃度を削減したい側、例えば、敷地境界線側や重要施設側に位置する燃料タンク防液堤１のみにガス拡散防止壁２を設置しても良い。さらに、ガス拡散防止壁２は、全て同じ高さに形成しても良い。また、風下側に位置する燃料タンク防液堤１に設置するガス拡散防止壁２を、他部分よりも高くなるように形成しても良い。
【００３５】
次に、以上のように構成された本発明の最良の形態について、数値解析による試験データを説明する。
【００３６】
本発明によれば、風下側に位置する高さ５ｍの燃料タンク防液堤１の上部に高さ２．５ｍのガス拡散防止壁２を設置することで、燃料タンク防液堤１の外側におけるガス濃度が大幅に削減できることが判明した。尚、解析条件は、ガス種がＬＰＧで、大気条件は安定（ｐａｓｑｕｉｌの安定度階級による）であると想定している。
【００３７】
以下に、最大ガス濃度を１．０としたときの地表面ガス濃度履歴を説明する。
【００３８】
例えば、図３・図７に示すように、燃料タンク防液堤１から外側へ１ｍ離れた位置での地表面ガス濃度は、ガス拡散防止壁２が存在した場合には、ガス拡散防止壁２が無いときよりも約４０％削減された。
【００３９】
また、図４・図７に示すように、燃料タンク防液堤１から外側へ１５ｍ離れた位置での地表面ガス濃度は、ガス拡散防止壁２が存在した場合には、ガス拡散防止壁２が無いときよりも約２４％削減された。
【００４０】
さらに、図５・図７に示すように、燃料タンク防液堤１から外側へ３０ｍ離れた位置での地表面ガス濃度は、ガス拡散防止壁２が存在した場合には、ガス拡散防止壁２が無いときよりも約２９％削減された。
【００４１】
また、図６・図７に示すように、燃料タンク防液堤１から外側へ５０ｍ離れた位置での地表面ガス濃度は、ガス拡散防止壁２が存在した場合には、ガス拡散防止壁２が無いときよりも約２２％削減された。
【産業上の利用可能性】
【００４２】
本発明によるガス拡散防止壁２を備えた燃料タンク防液堤１、および、ガス拡散防止壁２を用いた燃料タンク防液堤１におけるガス拡散防止方法は、各種の燃料を貯蔵しているタンクの防液堤として、広く採用することができる。
【図面の簡単な説明】
【００４３】
【図１】燃料タンクを取り囲むように配置された燃料タンク防液堤の上部に、ガス拡散防止壁を設置している構成を示した斜視図である。
【図２】燃料タンク防液堤に設置したガス拡散防止壁により、燃料タンク防液堤内に残留している液体燃料の表面から気化したガスの拡散を阻止している状態を説明した側面図である。
【図３】最大ガス濃度を１．０としたときの地表面ガス濃度履歴（燃料タンク防液堤外壁から１ｍ）を示した図である。
【図４】最大ガス濃度を１．０としたときの地表面ガス濃度履歴（燃料タンク防液堤外壁から１５ｍ）を示した図である。
【図５】最大ガス濃度を１．０としたときの地表面ガス濃度履歴（燃料タンク防液堤外壁から３０ｍ）を示した図である。
【図６】最大ガス濃度を１．０としたときの地表面ガス濃度履歴（燃料タンク防液堤外壁から５０ｍ）を示した図である。
【図７】ガス拡散防止壁が存在する場合の地表面（燃料タンク防液堤外壁から１ｍ・１５ｍ・３０ｍ・５０ｍ）におけるガス濃度削減率を示した図である。
【符号の説明】
【００４４】
Ｔ…燃料タンク
１…燃料タンク防液堤
２…ガス拡散防止壁
【図１】
2005308106.tif 000003
【図２】
2005308106.tif 000004
【図３】
2005308106.tif 000005
【図４】
2005308106.tif 000006
【図５】
2005308106.tif 000007
【図６】
2005308106.tif 000008
【図７】
2005308106.tif 000009